(57)【要約】  デバイスホルダは、第１の本体部分及び第２の本体部分を含む。デバイスホルダは、第１及び第２の本体部分を接続するばねアームを更に含み、第１の本体部分は、ばねアームの第１の部分を受け入れる第１の凹部を有し、第２の本体部分は、ばねアームの第２の部分を受け入れる第２の凹部を有し、第１及び第２の本体部分は、ばねアームが第１及び第２の凹部内にある第１の構成と、ばねアームが第１の凹部外にある第２の構成とを有する。第１の構成から第２の構成に変更するために、ばねアームが圧縮する。【選択図】図１
2021505827.tif 000002
【特許請求の範囲】
【請求項１】
第１の本体部分と、
第２の本体部分と、
前記第１及び第２の本体部分を接続するばねアームであって、前記第１の本体部分は、前記ばねアームの第１の部分を受け入れる第１の凹部を有し、前記第２の本体部分は、前記ばねアームの第２の部分を受け入れる第２の凹部を有し、前記第１及び第２の本体部分は、前記ばねアームが前記第１及び第２の凹部内にある第１の構成と、前記ばねアームが前記第１の凹部外にある第２の構成とを有し、前記第１の構成から前記第２の構成に変更するために、前記ばねアームが圧縮する、ばねアームと、
を備えるデバイスホルダ。
【請求項２】
前記ばねアームは、第１、第２、及び第３の部分を有し、前記第１及び第２の部分は第１の切り欠き領域によって分離されており、前記第２及び第３の部分は第２の切り欠き領域によって分離されており、これにより前記ばねアームが圧縮すると、前記第１、第２、及び第３の部分が前記第１及び第２の切り欠き領域に押し込まれる、請求項１に記載のデバイスホルダ。
【請求項３】
前記ばねアームの前記第１の部分は第１の突起を有し、前記第１の本体部分の対応する部分は第１の凹状領域を有し、これにより前記第１及び第２の本体部分が前記第１の構成にあるときに前記第１の突起が前記第１の凹状領域内に延在し、前記第１の突起と前記ばねアームの幅とは、前記ばねアームを圧縮せずには前記第１の凹部の第１の縁を通過しないほど幅広である、請求項２に記載のデバイスホルダ。
【請求項４】
前記ばねアームは圧縮されたＳのような形状である、請求項３に記載のデバイスホルダ。
【請求項５】
前記ばねアームの前記第３の部分は第２の突起を有し、前記第１の本体部分の対応する部分は第２の凹状領域を有し、これにより前記第１及び第２の本体部分が前記第１の構成にあるときに前記第２の突起が前記第２の凹状領域に延在し、前記第２の突起と前記ばねアームの前記幅とは、前記ばねアームを圧縮せずには前記第１の凹部の第２の縁を通過しないほど幅広である、請求項４に記載のデバイスホルダ。
【請求項６】
前記ばねアームの前記第１の部分は第３の突起を有し、前記第２の本体部分の対応する部分は第３の凹状領域を有し、これにより前記第１及び第２の本体部分が前記第１の構成にあるときに、前記第３の突起が前記第３の凹状領域に延在し、前記第３の突起と前記ばねアームの前記幅とは、前記ばねアームを圧縮せずには前記第２の凹部の第３の縁を通過しないほど幅広である、請求項５に記載のデバイスホルダ。
【請求項７】
前記ばねアームの前記第３の部分は第４の突起を有し、前記第２の本体部分の対応する部分は第４の凹状領域を有し、これにより前記第１及び第２の本体部分が前記第１の構成にあるときに前記第４の突起が前記第４の凹状領域に延在し、前記第４の突起と前記ばねアームの前記幅とは、前記ばねアームを圧縮せずには前記第２の凹部の第４の縁を通過しないほど幅広である、請求項６に記載のデバイスホルダ。
【請求項８】
前記第２の本体部分が円形の形状を有する、請求項７に記載のデバイスホルダ。
【請求項９】
前記第１の本体部分が円形の形状を有する、請求項８に記載のデバイスホルダ。
【請求項１０】
前記第１の本体部分は、前記第１の構成において前記第２の本体部分を収容するための半円形の切り欠きを有する、請求項８に記載のデバイスホルダ。
【請求項１１】
前記第２の本体部分がてこ作用領域を有する、請求項１０に記載のデバイスホルダ。
【請求項１２】
前記ばねアームは、前記第１の本体部分に対して回転するように、ピンを介して第１の端部で前記第１の本体部分に取り付けられている、請求項１１に記載のデバイスホルダ。
【請求項１３】
前記ばねアームは、前記第２の本体部分に対して回転するように、ピンを介して第２の端部で前記第２の本体部分に取り付けられている、請求項１２に記載のデバイスホルダ。
【請求項１４】
前記ばねアームが、前記第１の本体部分に対して回転して、前記第１の構成から前記第２の構成に移行する、請求項１３に記載のデバイスホルダ。
【請求項１５】
前記第１の本体部分の底部は接着剤を含む、請求項１４に記載のデバイスホルダ。
【請求項１６】
前記デバイスホルダは金属製である、請求項１５に記載のデバイスホルダ。
【請求項１７】
デバイスを保持する方法であって、
デバイスホルダをモバイルデバイスの背面に取り付けるステップと、
ばねアームを第１の本体部分に対して回転させて、前記デバイスを第１の構成にするステップと、
前記モバイルデバイスと前記デバイスホルダとを第１の表面に置き、前記モバイルデバイスの縁と前記ばねアームに取り付けられた第２の本体部分とがスタンドを形成するステップと、を含む、方法。
【請求項１８】
前記第２の本体部分を前記ばねアームに対して回転させて、前記デバイスを第２の構成にするステップと、
前記ばねアームのいずれかの側に指を置くことによって前記第１の本体部分と前記第２の本体部分との間に前記デバイスを保持するステップと、
を更に含む、請求項１７に記載の方法。
【請求項１９】
前記ばねアームの第１の部分は第１の突起を有し、前記第１の本体部分の対応する部分は第１の凹状領域を有し、これにより前記第１及び第２の本体部分及び前記第１の突起並びに前記ばねアームの幅が、前記ばねアームを圧縮せずには前記第１の凹部の第１の縁を通過しないほど幅広であるときに、前記第１の突起が前記第１の凹状領域内に延在し、前記方法が、前記ばねアームを圧縮して前記デバイスホルダを前記第１の構成にするステップを更に含む、請求項１７に記載の方法。
【請求項２０】
前記ばねアームの前記第１の部分は第３の突起を有し、前記第２の本体部分の対応する部分は第３の凹状領域を有し、これにより前記第１及び第２の本体部分が前記第１の構成にあるときに前記第３の突起が前記第３の凹状領域内に延在し、前記第３の突起と前記ばねアームの前記幅とは、前記ばねアームを圧縮せずには前記第２の凹部の第３の縁を通過しないほど幅広であり、前記方法が、前記ばねアームを圧縮して前記デバイスホルダを前記第２の構成にするステップを更に含む、請求項５に記載のデバイスホルダ。
【発明の詳細な説明】
【技術分野】
【０００１】
【背景技術】
【０００２】
[0001]携帯電話及び他の携帯用デバイスは一般的である。これらのモバイルデバイスは、洗練された形状因子を備えている場合がある。この形状因子は、デバイスを視覚的に快適にするが、デバイスを保持することを困難にし、頻繁に落とされる原因になる。また、ハンズフリーでデバイスを見ると、モバイルデバイスが横になってデバイスが見にくくなる。これらの理由から、常に利用可能であり、デバイスの形状因子と保持機能への影響が最小限である、モバイルデバイスを保持して表示するユーザの能力を向上させるデバイスが望まれる。
【発明の概要】
【０００３】
[0002]一実施形態では、デバイスホルダは、第１の本体部分及び第２の本体部分を含む。デバイスホルダは、第１及び第２の本体部分を接続するばねアームを更に含み、第１の本体部分はばねアームの第１の部分を受け入れる第１の凹部を有し、第２の本体部分はばねアームの第２の部分を受け入れる第２の凹部を有し、第１及び第２の本体部分は、ばねアームが第１及び第２の凹部内にある第１の構成と、ばねアームが第１の凹部外にある第２の構成とを有する。第１の構成から第２の構成に変更するために、ばねアームは圧縮する。必要に応じて、ばねアームは、第１、第２、及び第３の部分を有し、第１及び第２の部分は、第１の切り欠き領域によって分離され、第２及び第３の部分は、第２の切り欠き領域によって分離され、これにより、ばねアームが圧縮すると、第１、第２、及び第３の部分が第１及び第２の切り欠き領域に押し込まれる。或いは、ばねアームの第１の部分は第１の突起を有し、第１の本体部分の対応する部分は第１の凹状領域を有し、これにより第１及び第２の本体部分が第１の構成にあるときに、第１の突起が第１の凹状領域内に延在し、第１の突起とばねアームの幅とは、ばねアームを圧縮せずには第１の凹部の第１の縁を通過しないほど幅広である。１つの代替案では、ばねアームは圧縮されたＳのような形状である。別の代替例では、ばねアームの第３の部分は第２の突起を有し、第１の本体部分の対応する部分は第２の凹状領域を有し、これにより第１及び第２の本体部分が第１の構成にあるときに第２の突起が第２の凹状領域に延在し、第２の突起とばねアームの幅とは、ばねアームを圧縮せずには第１の凹部の第２の縁を通過しないほど幅広である。或いは、ばねアームの第１の部分は第３の突起を有し、第２の本体部分の対応する部分は第３の凹状領域を有し、これにより第１及び第２の本体部分が第１の構成にあるときに、第３の突起が第３の凹状領域に延在し、第３の突起とばねアームの幅とは、ばねアームを圧縮せずには第２の凹部の第３の縁を通過しないほど幅広である。必要に応じて、ばねアームの第３の部分は第４の突起を有し、第２の本体部分の対応する部分は第４の凹状領域を有し、これにより第１及び第２の本体部分が第１の構成にあるときに第４の突起が第４の凹状領域に延在し、第４の突起とばねアームの幅とは、ばねアームを圧縮せずには第２の凹部の第４の縁を通過しないほど幅広である。別の代替案では、第２の本体部分は円形の形状を有する。必要に応じて、第１の本体部分は円形の形状を有する。代替的に、第１の本体部分は、第１の構成において第２の本体部分を収容するための半円形の切り欠きを有する。必要に応じて、第２の本体部分はてこ作用領域を有する。別の代替案では、ばねアームは、第１の本体部分に対して回転するように、ピンを介して第１の端部で第１の本体部分に取り付けられている。必要に応じて、ばねアームは、第２の本体部分に対して回転するように、ピンを介して第２の端部で第２の本体部分に取り付けられている。代替的に、ばねアームが、第１の本体部分に対して回転して、第１の構成から第２の構成に移行する。別の代替案では、第１の第２の底部は接着剤を含む。必要に応じて、デバイスホルダは金属製である。
【０００４】
[0003]一実施形態では、デバイスを保持する方法は、デバイスホルダをモバイルデバイスの背面に取り付けるステップを含む。上記方法は、ばねアームを第１の本体部分に対して回転させて、デバイスを第１の構成にするステップを更に含む。上記方法は、モバイルデバイスとデバイスホルダとを第１の表面に置き、モバイルデバイスの縁とばねアームに取り付けられた第２の本体部分とがスタンドを形成するステップを更に含む。代替的に、上記方法は、第２の本体部分をばねアームに対して回転させて、デバイスを第２の構成にするステップと、ばねアームのいずれかの側に指を置くことによって第１の本体部分と第２の本体部分との間にデバイスを保持するステップと、を含む。必要に応じて、ばねアームの第１の部分は第１の突起を有し、第１の本体部分の対応する部分は第１の凹状領域を有し、これにより第１及び第２の本体部分及び第１の突起並びにばねアームの幅が、ばねアームを圧縮せずには第１の凹部の第１の縁を通過しないほど幅広であるときに、第１の突起が第１の凹状領域内に延在し、上記方法は、ばねアームを圧縮してデバイスホルダを第１の構成にするステップを更に含む。或いは、ばねアームの第１の部分は第３の突起を有し、第２の本体部分の対応する部分は第３の凹状領域を有し、これにより第１及び第２の本体部分が第１の構成にあるときに第３の突起が第３の凹状領域内に延在し、第３の突起とばねアームの幅とは、ばねアームを圧縮せずには第２の凹部の第３の縁を通過しないほど幅広であり、上記方法は、ばねアームを圧縮してデバイスホルダを第２の構成にするステップを更に含む。
【図面の簡単な説明】
【０００５】
【図１】[0004]フリップアウト電話ホルダ及びスタンドの一実施形態を示す図である。
【図２】[0005]伸長位置にある図１のフリップアウト電話ホルダ及びスタンドの別の図を示す。
【図３】[0006]格納位置にある図１のフリップアウト電話ホルダ及びスタンドの別の図を示す。
【図４】[0007]格納位置にある図１のフリップアウト電話ホルダ及びスタンドの別の図を示す。
【図５】[0008]直立位置にある図１のフリップアウト電話ホルダ及びスタンドの別の図を示す。
【図６】[0009]伸長位置にある図１のフリップアウト電話ホルダ及びスタンドの別の図を示す。
【図７】[0010]伸長位置にある図１のフリップアウト電話ホルダ及びスタンドの別の図を示す。
【図８】[0011]伸長位置にある図１のフリップアウト電話ホルダ及びスタンドの別の図を示す。
【図９】[0012]伸長位置にある図１のフリップアウト電話ホルダ及びスタンドの別の図を示す。
【図１０】[0013]伸長位置にある図１のフリップアウト電話ホルダ及びスタンドの別の図を示す。
【図１１】[0014]格納位置にある図１のフリップアウト電話ホルダ及びスタンドの別の図を示す。
【図１２】[0015]格納位置にある図１のフリップアウト電話ホルダ及びスタンドの別の図を示す。
【発明を実施するための形態】
【０００６】
[0016]本明細書では、特定の用語が便宜的にのみ使用されており、フリップアウト電話ホルダ及びスタンド（「フリップアウト」又は「デバイスホルダ」）用のシステム及び方法の実施形態に対する限定として解釈されるべきではない。多くの実施形態では、フリップアウトは、ばねアームを介して相互接続された第１及び第２の本体部分を含む。ばねアームは、横方向に圧縮可能なアーム部分である。これにより、ばねアームの圧縮性の結果として、第１及び第２の本体部分が複数の位置で固定される。
【０００７】
[0017]図１は、伸長位置にあるフリップアウト１００の一実施形態を示す。フリップアウト１００は、第１の本体部分１１０及び第２の本体部分１２０を含む。示される実施形態では、第１の本体部分１１０及び第２の本体部分１２０は、概して円形である。代替的には、実質的に他のどのような形状でも構わない。示されるように、本体部分１１０は、領域１５１において第２の本体部分と連結するための切り欠き領域１１３を有する。このようにして、本体部分が格納位置にあるとき、円は重なる。異なる形状はまた、格納されたときに１つの本体部分が第２の本体部分への切り欠き内に延在するように構成されてもよい。或いは、この切り欠きは省略されてもよく、本体部分は格納されたときに単に当接してもよい。切り欠きを使用する利点は、切り欠きの結果として第２の本体部分がより大きくてもよいことである。第２の本体部分は、ばねアーム１３０の方向により長い長さを有し得る。
【０００８】
[0018]図１に示すように、ばねアーム１３０は、２つの本体部分１１０、１２０を接続する。図に示すように、各本体部分１１０、１２０は、ばねアーム１３０を収容するための切り欠き領域１１３、１２３を含む。これらの切り欠き領域１１３、１２３は、ばねアーム１３０の様々な突起１６０、１６１に対応する凹状領域１２１、１１１を含む。切り欠き領域１１３、１２３は、突起１６０、１６１を含むばねアーム１３０の幅よりも僅かに狭い。また、てこ作用領域１７０も表示されている。てこ作用領域１７０は、フリップアウトが図３のように格納位置にあるときに拡張可能なように、ユーザが第２の本体部分１２０の表面の下に指の爪をより容易に差し込むことができるように配置されている。
【０００９】
[0019]図１に示されるこの伸長構成では、ユーザは、指をばねアーム１３０のいずれかの側に置き、それらを第１の本体部分１１０と第２の本体部分１２０との間に留めさせることができる。
【００１０】
[0020]図２では、本体部分１１０の下側２３０に加え、本体部分１２０の下面２４０にピン２２０のチャネル２１０を見ることができる。下側２３０は、フリップアウト１００を電話などのモバイルデバイスに取り付けるために、接着剤又は他の材料を含み得る。図１２では別のピン２２０ａを部分的に見ることができる。
【００１１】
[0021]図２は、ばねアーム１３０の底面斜視図を示す。図から分かるように、ばねアーム１３０は、Ｓ又はＺのような形状を形成する本質的に３つの部分１３１、１３２、１３３でできている。このばねアーム１３０は、切り欠き領域１１３、１２３の縁部を突起１６０、１６１が通過するように圧縮され得る。図３などの格納位置では、突起１６０、１６１は、凹状領域１２１、１１１内に拡張する。
【００１２】
[0022]図４は、格納位置にあるフリップアウト１００の底面図を示す。この位置では、切り欠き領域４２０、４３０を容易に見ることができる。これらの切り欠き領域４２０、４３０により、ばねアーム１３０にばね機能がもたらされる。
【００１３】
[0023]図５は、フリップアウト１００の別の構成を示す。この構成では、第２の本体部分は回転されていない。そのような構成では、伸長の効果は、本体部分１２０がばねアーム１３０に対して垂直である場合よりも長いアームを作成することであるから、フリップアウト１００が電話又は他のアイテムの背面に取り付けられる場合、伸長された第２の本体部分１２０は、スタンドとして機能するように機能する。更に、第２の本体部分１２０の形状は、円形の形状を有し、表面のピッチが僅かに変化しても依然として良好に接触するデバイスをもたらすので、有利である。
【００１４】
[0024]多くの実施形態では、フリップアウト１００は金属製であり、これにより、ばねアーム１３０から曲がり、状況に応じて形状に戻ることができる。他の材料を代わりに用いてもよい。
【００１５】
[0025]特定の実施形態が前述の詳細な説明で詳細に説明されたが、それらの詳細に対する様々な修正及び代替が、開示の全体的な教示及びその広範な発明概念に照らして開発され得ることが当業者によって理解される。従って、本開示の範囲は、本明細書に開示される特定の例及び実装に限定されず、添付の特許請求の範囲及びその全ての均等物によって定義されるその趣旨及び範囲内の変更をカバーすることが意図されることが理解される。
【図１】
2021505827.tif 000003
【図２】
2021505827.tif 000004
【図３】
2021505827.tif 000005
【図４】
2021505827.tif 000006
【図５】
2021505827.tif 000007
【図６】
2021505827.tif 000008
【図７】
2021505827.tif 000009
【図８】
2021505827.tif 000010
【図９】
2021505827.tif 000011
【図１０】
2021505827.tif 000012
【図１１】
2021505827.tif 000013
【図１２】
2021505827.tif 000014
【国際調査報告】
2021505827.tif 000015